(57)【要約】      （修正有）【課題】ブラシ毛を水に少し濡らしてメダル・コインを研磨・洗浄する研磨装置に於いて、水・ゴミ・汚れの排出処理を乾式で且つ手間や時間をかけず迅速に行えるメダルコインの研磨装置を提供する。【解決手段】給水パイプ５の散水口下方に水回収容器３を設け、水回収容器内に上下対向した板ブラシを配置し、そのブラシ毛１ａ、２ａの間にメダルの強制送り路３ｆを形成し、強制送り路より低い位置で容器内水を溢出する排出口３ｂを設け、排出口に設けた排水シュートのシュート口縁に巻き取り式の吸水性のある布ベルト８を接触して、水回収容器内の水及びゴミ・汚れを布ベルトに吸水・付着させて、吸水・付着面が内側となるようにロール状に巻き取って回収する。【選択図】図３
0003196398.tif 000002
【実用新案登録請求の範囲】
【請求項１】
ブラシ毛を対向して配置するとともに、対向するブラシ毛の毛先端間にメダル又はコインの強制送り路を設け、ブラシ毛に少量の水分を散布しながら、又はブラシ毛に水分を霧状に噴霧しながら、あるいはブラシ毛を水に濡らすことでブラシ毛表面を水滴で濡らした状態で前記強制送り路に連続的に送られてくるメダル又はコインの表面を前記ブラシ毛で擦ってメダル又はコインの表面を研磨する研磨部と、同研磨部で研磨後のメダル又はコインの表面の水分を除去する水分除去部とを有するメダルコインの研磨装置であって、研磨部で使用された水及びメダル又はコインから剥離したゴミを回収する水回収容器をブラシ毛の下方に設け、同水回収容器内の水・ゴミを少量ずつ排出する排出口の流出端を前記の強制送り路より低い位置に設けるとともに、同排出口の流出端から流出する水・ゴミと接触するように吸水性がある長尺の布ベルトを配置するとともに、同布ベルトの接触させた布面が内側となるように巻きとりながら布ベルトを少しづつ送ってロール状に巻取る巻取り機構を設け、水回収容器から排出する水及びゴミをロール状布ベルトに吸水付着させて、これらを乾式に回収するようにしたことを特徴とする、メダルコインの研磨装置。
【請求項２】
水回収容器から排出する水・ゴミを吸水付着させる布ベルトの水回収容器の排出口よりベルト送りの上流となる位置で、研磨部から送られてくる研磨されて水に濡れたメダル又はコインの一表面を前記布ベルトに接触させてメダル又はコインの一表面の水分を吸水し、又この布ベルトと対向してメダルとコインの他の表面の水分を吸水する別の巻き取り式の布ベルトを配置して、メダル又はコインの表面の水分を除去する水分除去部を形成するようにした、請求項１記載のメダルコインの研磨装置。
【請求項３】
研磨部がブラシ毛を上下方向に植毛した上板ブラシと下板ブラシとを対向配置し、対向した上下板ブラシをメダルコインの直径より少し長い巾の上方を開口した箱体内に配置し、上板ブラシの上方に貯水室を設け、同貯水室と上板ブラシのブラシ毛との間には貯水室の水をブラシ毛に少量送る通水孔を貯水部の室底壁及び上板ブラシのブラシ毛を植毛した板材に設け、前記箱体を水回収容器とし、同水回収容器内の上板ブラシのブラシ毛と下板ブラシの各ブラシ毛の毛先端とが近接又は重なる高さ位置の水回収容器の前後壁それぞれにメダル又はコインを通過させる開口部を設け、同開口部間をメダル又はコインの強制送り路とし、同開口部の下縁高さより低い位置に排出口の下方口縁がくるように水回収容器の後壁に水又はゴミを溢出する排出口を設け、同排出口に設けた排水シュートのシュート口縁と接触するように布ベルトを送る構造とした、請求項１又は２記載のメダルコインの研磨装置。
【考案の詳細な説明】
【技術分野】
【０００１】
遊技場で広く使用されているメダル又は硬貨のコインを少量且つ連続的に水を使って、ブラシでメダル又はコイン表面を効率的に研磨して、その後メダル又はコインの表面に付着した水分を除去する装置に関する。「メダル又はコイン」を以下単に「メダル・コイン」又は「メダルコイン」とも称する。
【背景技術】
【０００２】
水でブラシ毛を濡らした状態で、上下一対の板ブラシ間に又は上下一対のロールブラシ間にメダル又はコインを通過させ、メダル・コインの表面をブラシ毛で研磨して、メダル・コインの表面に付着したゴミ・汚れを効果的に取り除く研磨・洗條装置は広く使用されている。研磨・洗滌されたメダル・コインはその後布ベルトで表面の水分を吸水されて又は乾燥空気に露して乾燥状態で搬出されている。この技術は、先行技術の特許文献１，２に開示されるように既に公知である。
【０００３】
この従来の引用文献１の研磨・洗滌装置でブラシ毛を濡らす水は、ブラシ毛の上方から放出されてブラシ毛の下方に設けた貯水容器に回収されている。この水が単位時間当り多量に使用されたり、又は単位時間当りの使用水量は少なくても長時間使用されたりすると貯水容器の水量が多くなって、貯水容器内の水は排水管を介して外部の集中排水処理装置に集められて処理される。又は、貯水容器を定期的に取り出して排水処理されて、空の貯水容器を研磨・洗滌装置に装着されて使用される。
前者の排水管により排水させる装置では、排水管の配管設備と集中排水処理装置・浄化槽装置を必要として、設備費が嵩むものである。後者の貯水容器の定期的な排水作業と貯水容器洗條作業は、手間のかかる作業となる。又、水・洗條液で濡れたメダルを布ベルトで吸水させて水分除去する方式は引用文献２に開示されている。
【先行技術文献】
【特許文献】
【０００４】
【特許文献１】特開２００５−８０９７１号公報
【特許文献２】特開平０７−２２０１３４号公報
【考案の概要】
【考案が解決しようとする課題】
【０００５】
本考案が解決しようとする課題は、水を使用してブラシ毛によってメダルコインを研磨する装置で発生する使用済みの水及びゴミ・汚れを排水管の配管を必要とせず、及び排水処理装置・浄化槽を使わずに回収処理でき、又貯水容器を引き出して排水作業及びその容器の洗條作業を行わないで使用済みの水・ゴミ・汚れの回収作業が容易且つ迅速にできて、メンテナンスが簡易なメダルコインの研磨装置を提供することにある。
【課題を解決するための手段】
【０００６】
かかる課題を解決した本考案の構成は、
１）  ブラシ毛を対向して配置するとともに、対向するブラシ毛の毛先端間にメダル又はコインの強制送り路を設け、ブラシ毛に少量の水分を散布しながら、又はブラシ毛に水分を霧状に噴霧しながら、あるいはブラシ毛を水に濡らすことでブラシ毛表面を水滴で濡らした状態で前記強制送り路に連続的に送られてくるメダル又はコインの表面を前記ブラシ毛で擦ってメダル又はコインの表面を研磨する研磨部と、同研磨部で研磨後のメダル又はコインの表面の水分を除去する水分除去部とを有するメダルコインの研磨装置であって、研磨部で使用された水及びメダル又はコインから剥離したゴミを回収する水回収容器をブラシ毛の下方に設け、同水回収容器内の水・ゴミを少量ずつ排出する排出口の流出端を前記の強制送り路より低い位置に設けるとともに、同排出口の流出端から流出する水・ゴミと接触するように吸水性がある長尺の布ベルトを配置するとともに、同布ベルトの接触させた布面が内側となるように巻きとりながら布ベルトを少しづつ送ってロール状に巻取る巻取り機構を設け、水回収容器から排出する水及びゴミをロール状布ベルトに吸水付着させて、これらを乾式に回収するようにしたことを特徴とする、メダルコインの研磨装置
２）  水回収容器から排出する水・ゴミを吸水付着させる布ベルトの水回収容器の排出口よりベルト送りの上流となる位置で、研磨部から送られてくる研磨されて水に濡れたメダル又はコインの一表面を前記布ベルトに接触させてメダル又はコインの一表面の水分を吸水し、又この布ベルトと対向してメダルとコインの他の表面の水分を吸水する別の巻き取り式の布ベルトを配置して、メダル又はコインの表面の水分を除去する水分除去部を形成するようにした、前記１）記載のメダルコインの研磨装置
３）  研磨部がブラシ毛を上下方向に植毛した上板ブラシと下板ブラシとを対向配置し、対向した上下板ブラシをメダルコインの直径より少し長い巾の上方を開口した箱体内に配置し、上板ブラシの上方に貯水室を設け、同貯水室と上板ブラシのブラシ毛との間には貯水室の水をブラシ毛に少量送る通水孔を貯水部の室底壁及び上板ブラシのブラシ毛を植毛した板材に設け、前記箱体を水回収容器とし、同水回収容器内の上板ブラシのブラシ毛と下板ブラシの各ブラシ毛の毛先端とが近接又は重なる高さ位置の水回収容器の前後壁それぞれにメダル又はコインを通過させる開口部を設け、同開口部間をメダル又はコインの強制送り路とし、同開口部の下縁高さより低い位置に排出口の下方口縁がくるように水回収容器の後壁に水又はゴミを溢出する排出口を設け、同排出口に設けた排水シュートのシュート口縁と接触するように布ベルトを送る構造とした、前記１）又は２）記載のメダルコインの研磨装置
にある。
【考案の効果】
【０００７】
本考案によれば、水に濡らしてブラシ毛でメダルコインを研磨する研磨作業に使用して回収された貯水容器内の水・ゴミ・汚れは貯水容器の少量ずつ排出される排出口から排出されるが、排出される水・ゴミ・汚れに接触しながらゆっくり送られる吸水性ある布ベルトで吸水及び付着されて水及びゴミ・汚れを内側にしてロール状に巻き取られる。これによって、水分は排水管なく回収でき、又ゴミ・汚れは布ベルトの内側に付着して送られてロール状に巻き取られ、ロール状布ベルト内に封止されるようになる。この水・ゴミ・汚れを充分に吸着したロール状布ベルトは取り外して洗濯処理され、次の乾燥した新しいロール状布ベルトを研磨装置に装着すれば次の研磨作業が開始でき、使用済みの水・剥離したゴミ・汚れの回収が巻き取る布ベルトのみで行えるため装置が簡素化し、又使用済み布ベルトはロール状になっていてその取り外し及び新しい布ベルトへの交換も容易となる。使用済みのロール状布ベルトは洗濯されて再使用可能となり、多数回使用可能である。
【０００８】
又、貯水容器の排出口の排水シュートのシュート口縁と接触する布ベルトの上流部分を、研磨部でブラシ毛で研磨・洗浄されて水に濡れた状態で送り出されたメダルコインの表面と接触させて、メダルコインの表面に残留した水分・ゴミを上流部分の未使用の吸水されていない布ベルトで吸水付着させれば、メダルコインの表面の水分を除去して乾燥させることが一本の布ベルトで可能となる。この吸水吸着した布ベルトはさほど吸水・ゴミ付着しないで、下流側の研磨部の排出口での水の吸水・ゴミ付着に支障がない。
このように、一本の布ベルトでメダルコインの研磨・洗浄に使用した水及びゴミ・汚れの吸水付着回収と、メダルコインの表面の水分の拭き取りとを行うことで、簡単な構造で研磨と水分除去が同時にできるというメリットがある。
更に、水回収容器内にメダルコインの強制送り路を設けるとともに、その強制送り路のメダルコインの出入口となる開口部を水回収容器の前後面に設け、しかもその開口部の下縁位置が水の排出口の流出端位置より高くする構造では、開口部から水は溢出することなく、排出口から溢出する水・ゴミ・汚れのみを布ベルトで吸水・付着させることの処理のみで済む。
【図面の簡単な説明】
【０００９】
【図１】図１は実施例１を示す斜視図である。
【図２】図２は実施例１の貯水容器の側壁と送りベルトを切欠した一切欠欠斜視図である。
【図３】図３は実施例１の要部を示す一部切欠の正面図である。
【図４】図４は実施例１の貯水容器と水回収容器と板ブラシを示す分解斜視図である。
【図５】図５は実施例１のメダルの流れを示す説明図である。
【図６】図６は図５のＡ−Ａ断面図である。
【図７】図７は図５のＢ−Ｂ断面図である。
【図８】図８は図５のＣ−Ｃ断面図である。
【図９】図９は実施例１のメダル送りを示す説明図である。
【図１０】図１０は本考案のメダル送りを片面ベルト送りとした実施例２を示す斜視図である。
【図１１】図１１は図１０に示す実施例２の片面ベルト送りを省略した説明図である。
【図１２】図１２は図１１に示す実施例２の布ベルトの送り状態を示す説明図である。
【図１３】図１３は図１２のＡ−Ａ断面図である。
【図１４】図１４は図１２のＢ−Ｂ断面図である。
【考案を実施するための形態】
【００１０】
請求項１中の「水回収容器内の水・ゴミを少量ずつ排出する排出口」とは、水回収容器の容器上縁から溢出するように水回収容器内の水・ゴミを徐々に排出する溢出口の如き排出口、又は水回収容器の水底面近くに設けられた排出管から排出される水の流量を、排出管の途中に設けたバルブ又はフィルター等流量低減器材で絞って少量ずつ排出させる構造の排出口をいう。即ち、布ベルトの単位時間当りの送りによって布ベルトが吸水できる吸水量以下となるように、排出口からの排水量を制限するように排出流量を絞り込んだ排出口のことである。
【００１１】
本考案の布ベルトとしては、吸水性がある綿等で厚みがあり吸水量が高い素材のベルトがよく、ベルトの素材中に又はベルトの表面層に高分子吸水剤を含有させて吸水量を高めたものが好ましい。
【００１２】
本考案のブラシ毛間にメダル・コインを送り込む手段としては、メダル・コインを一列に送るように巾を規制したメダルコイン送りの前後のガイド枠を設け、メダルコインを上流側で強制的にガイド枠に沿って移動させる押圧力（推進力）を与えて、上下のブラシ毛の中間をメダルコインを通過させるようにさせる方法が採用できる。その場合、メダル・コインが回転しながらガイド枠又は水回収容器の側壁に沿って移動させるのがブラシ毛によるメダルコインの表面研磨が均一となって好ましい。
又は、メダル・コインの外周縁を露出させ、メダル・コインの送り方向と平行に配置した送り用ベルトに接触させて回転させながら送るようにもできる。メダル・コインの送り方法はこれらに限定するものではない。
【実施例】
【００１３】
（実施例１）
図１〜９に示す遊技場で使用するメダルの研磨装置の実施例１を、図面に基づいて説明する。本実施例１は、上下の板ブラシはともにメダル直径よりやや長い巾の細長の板ブラシであり、上下の板ブラシを上下対向して上方を開口した細長の箱体内に配置し、同箱体内の上板ブラシの上に貯水室を設け、同貯水室の底面と上板ブラシの板材とに少量ずつ貯水室の水をブラシ毛へ流下させる通水孔を設け、そしてこの箱体自体を水回収容器とし、同水回収容器のブラシ毛の先端間の位置の前壁にメダルを通過させるメダル導入口（開口部）を、及び後壁に上方をメダル送出口（開口部）とし、その下方を水回収容器の溢流口の排出口としている。メダル導入口（開口部）及びメダルを送出するメダル送出口（開口部）は、下方の排出口の流出端（下方の口縁）及びその排水シュートの位置より高くなっている。
【００１４】
更に、実施例１では円筒内で回転盤を回転させ、その時発生する遠心力によってメダルを一列で排出するメダルの一列整列装置から排出されるメダルを上方から回転ローラで押圧して回転させながら強制送りをしている。又、実施例１の布ベルトの上流部分は水分除去部のメダル表面の水分・湿気の吸水ベルトとして使用している例である。
【００１５】
（図面の符号の説明）
Ｇは図１〜９に示す実施例１のメダルの研磨装置で、Ｋは研磨部、Ｄは水分除去部である。又、１は上板ブラシ、１ａは上板ブラシ１のブラシ毛、１ｂはブラシ毛１ａを多数植毛した上板ブラシ１の細長の板材、１ｃは同板材に設けた通水孔、２は下板ブラシ、２ａは下板ブラシ２のブラシ毛、２ｂはブラシ毛２ａを多数植毛した細長の下板ブラシ２の板材、３は上方を開放して上板ブラシ１と下板ブラシ２を対向して配置し、メダルの直径巾より少し長い巾を有する細長の箱形状をした水回収容器である。３ａは水回収容器３の前壁に形成したメダル導入口（開口部）、３ｅは水回収容器３からのメダル送出口（開口部）であり、３ｂはメダル導入口３ａ・メダル送出口３ｅのメダル搬送路の下縁より低い位置に口縁の下縁となる流出端３ｂ１が設けられて、ここから水回収容器３内の水・ゴミが溢出する排出口、３ｃは同排出口の下縁に設けた下方向に折曲して傾斜した排水シュート、３ｄは同排水シュートのシュート口縁、３ｆはメダル導入口３ａとメダル送出口３ｅ（排出口３ｂの上方の開口空間）とを絡ぐメダルＭの通過路となる強制送り路、４は上板ブラシ１の上方に設けた貯水室、４ａは同貯水室の室底壁、４ｂは同室底壁４ａに設けた水を少量ずつ上板ブラシ１上に流下させる通水孔、５は貯水室４に水を供給する給水パイプ、６は水供給ポンプ、７は水タンク、８は厚手の綿製の布ベルト、９はモータ（図示せず）でゆっくり回動させられている布ベルト８の布ベルト巻取車、１０はロール状の布ベルト８の繰り出し車、１０ａは布ベルト８の案内ローラである。
【００１６】
図中１１〜１８ａは実施例１の水分除去部Ｄの構造で、１１はベルト押え下マット、１２はベルト押え上マット、１３はベルト押え下マット１１とベルト押え上マット１２との間のメダル導入口、１４はメダル吐出シュート、１５は吸水力がある拭取用上布ベルト、１６は上布ベルト１５の巻取車、１７はロール状の上布ベルト１５の繰り出し車、１８は水分除去部Ｄのメダルの外周縁に対し縦にした布ベルトを接触させてメダルを強制送りと回転を与える補助無端ベルト、１８ａは同補助無端ベルトを送る駆動ローラ、１９は補助無端ベルト１８の対向面に設けたメダルＭの外周縁を案内するガイド部材である。
又、図中２０はモータ２０ａによって回転してメダルを回転させながら強制送りする回転ローラ、２１は多数のメダルを投入して一枚ずつメダル送りする一列整列装置、２１ａは筒体２１ｄの底面となる回転盤、２１ｂは同回転盤を回転させるモータ、２１ｃはメダル一枚送りの吐出口、２１ｄはメダル受の筒体、２１ｅは投入シュートである。２２は吐出口２１ｃから続くメダル一列送り路のメダル送り枠である。
【００１７】
この実施例１では、使用済みのメダルＭは投入シュート２１ｅから投入され、下方のメダル受の筒体２１ｄへ落下し、回転盤２１ａの回転によってメダルＭはメダル受の筒体２１ｄの内周面に沿って動いて遠心力を受け、吐出口２１ｃからメダル１個毎に送り出す。
吐出口２１ｃからのメダルはメダル搬送路のメダル送り枠２２に拘束されながら送られ、途中で回転ローラ２０によってメダルＭは強制的な推進力が与えられて、研磨部Ｋの上板ブラシ１と下板ブラシ２との上下対向したブラシ毛１ａ，２ａ間の水回収容器３のメダル導入口３ａに送られ、水回収容器３内に入る。
【００１８】
箱状の水回収容器３内でメダルＭは上板ブラシ１と下板ブラシ２の上下のブラシ毛１ａ，２ａの毛先端端間に挿入され、水回収容器３の左右側面に当りながら、ブラシ毛１ａ，２ａで支持されながら、メダルＭの上面・下面を擦られて研磨される。一方、水タンク７の水は水供給ポンプ６によって吸上げられて給水パイプ５から貯水室４内へ送られる。同貯水室４内の水はその室底壁４ａに設けた通水孔４ｂから下方に流下し、更に上板ブラシ１の通水孔１ｃを経て下方のブラシ毛１ａ，２ａへ少量づつ流れてブラシ毛１ａ，２ａを水・湿気で濡らした状態とする。ブラシ毛１ａ，２ａはこの水・湿気によってメダルＭの表面のゴミ・汚れを効率的に剥離し、剥離したゴミ・汚れは含水して下方に落下させ易くなる。水及び剥離したゴミ・汚れ・水は水回収容器３内に落下し、そのゴミ・汚れは水面に浮遊することが多くなる。又、水回収容器３内の水は多くなって、その水面の水位は上昇していく。
【００１９】
水回収容器３内の水位が排出口３ｂの下縁（流出端３ｂ１）のレベルを越えると、水回収容器３内の水及びその上に浮遊するゴミ・汚れ量は、この排出口３ｂの流出端３ｂ１から溢出して傾斜した排水シュート３ｃから流出する。この排出口３ｂから溢出する水量は、給水パイプ５から給水される水量よりメダルＭに付着する分だけ低めとなる。この溢出する水量の調整は水供給ポンプ６の制御及び通水孔１ｃ，４ｂの孔数・孔径で可能となっている。
この溢出する水・ゴミ・汚れは、排水シュート３ｃの下端に接触するように送られる布ベルト８に吸水・付着されて布ベルト８のベルト面に回収される。布ベルト８はゆっくり回動されている布ベルト巻取車９によってゴミ・汗を付着した布ベルト面が内側となるように巻き取られる。これによって、排水シュート３ｃから流下する水・ゴミ・汚れを送られてくる新しい布ベルト面によって吸水・付着される。逆に、布ベルト面が吸水できる流量が排水シュート３ｃからの流量より大きくなるように、布ベルト８が送り速度は制御されるようにしている。尚、水回収容器３のメダル導入口３ａの下縁の高さは、排出口３ｂの下縁の流出端３ｂ１より高くなるように設けられているから、メダル導入口３ａから水・ゴミ・汚れが溢出することがないようになっている。
【００２０】
研磨部Ｋで水回収容器３内の水・ゴミ・汚れを布ベルト８で吸水・吸着した布ベルト８のその上流側布ベルト面では、水分除去部Ｄのベルト押え下マット１１の上に張架されている。又、その上には別の吸水性の上布ベルト１５が対面するように配置され、巻取車１６によって研磨部Ｋの方向に間欠的又は遅い速度で連続的に強制送りされている。上布ベルト１５の強制送りの速度は、下方の布ベルト８の研磨部Ｋの方向への送り速度と略同じとなるように各巻取の速度を制御されている。
【００２１】
研磨部Ｋの排出口３ｂの上方のメダル送出口３ｅから吐出されたメダルＭは、下の布ベルト８と上の上布ベルト１５との間のメダル導入口１３へ送り込まれ、上布ベルト１５と下方の布ベルト８との間に挟まれるように、しかもベルト送り方向と逆の方向にメダルＭは送られる。
メダルＭの送りは無端ベルト１８のベルト面がメダルＭの外周縁に接触し、しかも反対側はガイド部材１９に押し付けることでメダルＭを送り出し、且つ回転させている。メダルＭの表面の水分はメダルの下面と上面に面的に接触する布ベルト８と上布ベルト１５に吸水されて、メダルＭを乾燥させて、メダル吐出シュート１４から排出させるものである。
【００２２】
布ベルト８の吸水量能力は、水回収容器３の排出口３ｂの溢出水量と水分除去部ＤでのメダルＭの下面の水分の吸水量の和より大きく、又布ベルト巻取車９で布ベルト８を巻き取った圧縮状態でも水分が搾り出されて排出されないように、布ベルトのベルト厚みと吸水能力とベルト送り速度を調整する。
【００２３】
このように、実施例は研磨部Ｋで使用した水・剥離されたゴミ・汚れを布ベルト８で吸水・吸着してゴミ・汚れが内側となるようにロール状に巻き取るものであるから、研磨部Ｋで汚れたら取り外せばよい。洗濯して再装着する。排水管・汚水受容器を必要としないので、構造が簡単にできる。又、排水・ゴミ・汚れを布ベルト８で巻き取って処理するので、新しい布ベルトとの交換も容易且つ迅速にできるものとなって、メンテナンスが容易である。尚、吸水・付着した使用済みの布ベルト８，１５は、洗濯・乾燥することで再使用できるものである。
【００２４】
（実施例２）
図１０，１１に示す実施例２は、前の図１〜９に示す実施例１をメダル送りの構造で改良したもので、メダルＭを送る回転ローラ２０と短い補助無端ベルト１８に代え、メダルＭを研磨部Ｋと水分除去部Ｄとを連続して、メダルＭの送りと回転を与える縦の長尺無端ベルト２００をメダルＭの移動路に沿って平行に設けた例であり、そのため水回収容器３の右側面の排出口３ｂの下縁より高い位置で且つブラシ毛１ａ，２ａの先端間の強制送り路３ｆの位置にスリット２０３を設け、メダルＭの外周縁が水回収容器３のスリット２０３から及び水分除去部Ｄでも布ベルト８，上布ベルト１５の間から露出できるようにし、これに長尺無端ベルト２００のベルト面が接触してメダルＭの送りと回転を与えている。他は前記実施例１の構造・作用効果と同様である。
【００２５】
この実施例２では送りが一本の長尺無端ベルト２００のみで済むので、メダル送り構造が簡素化される。他は実施例１の構造・作用効果と同様であり、共通の構成には胸中の符号を付している。
【産業上の利用可能性】
【００２６】
本考案は、遊技場・遊び・ゲームで使用するメダル・コインでの研磨・洗條に使える他に、コインを多数に取り扱う銀行・商店及び自動販売機で使用されて回収されたコインの研磨・洗浄にも利用可能である。
【符号の説明】
【００２７】
Ｇ    実施例１のメダルの研磨装置
Ｇ２    実施例２のメダルの研磨装置
Ｋ    研磨部
Ｄ    水分除去部
Ｍ    メダル
１    上板ブラシ
１ａ    ブラシ毛
１ｂ    板材
１ｃ    通水孔
２    下板ブラシ
２ａ    ブラシ毛
２ｂ    板材
３    水回収容器
３ａ    メダル導入口（開口部）
３ｂ    排出口
３ｂ１    流出端
３ｃ    排水シュート
３ｄ    シュート口縁
３ｅ    メダル送出口（開口部）
３ｆ    強制送り路
４    貯水室
４ａ    室底壁
４ｂ    通水孔
５    給水パイプ
６    水供給ポンプ
７    水タンク
８    布ベルト
９    布ベルト巻取車
１０    繰り出し車
１０ａ    案内ローラ
１１    ベルト押え下マット
１２    ベルト押え上マット
１３    メダル導入口
１４    メダル吐出シュート
１５    拭取用上布ベルト
１６    巻取車
１７    繰り出し車
１８    補助無端ベルト
１８ａ    駆動ローラ
１９    ガイド部材
２０    回転ローラ
２０ａ    モータ
２１    一列整列装置
２１ａ    回転盤
２１ｂ    モータ
２１ｃ    吐出口
２１ｄ    筒体
２１ｅ    投入シュート
２２    メダル送り枠
２００    長尺無端ベルト
２０１    駆動ローラ
２０２    モータ
２０３    スリット
【図１】
0003196398.tif 000003
【図２】
0003196398.tif 000004
【図３】
0003196398.tif 000005
【図４】
0003196398.tif 000006
【図５】
0003196398.tif 000007
【図６】
0003196398.tif 000008
【図７】
0003196398.tif 000009
【図８】
0003196398.tif 000010
【図９】
0003196398.tif 000011
【図１０】
0003196398.tif 000012
【図１１】
0003196398.tif 000013
【図１２】
0003196398.tif 000014
【図１３】
0003196398.tif 000015
【図１４】
0003196398.tif 000016